(57)【要約】【課題】大型化し、湾曲したエアフィルタを挿入していく際のエアフィルタの腰折れを防止し、エアフィルタ挿入の操作性の良い空気調和機を提供すること。【解決手段】エアフィルタの枠あるいは桟の種々の特定部分の曲げ弾性を高く構成するとともに、エアフィルタガイド溝とエアフィルタの枠あるいは桟との隙間寸法を特定部分と他の部分とを違えたことによりエアフィルタの腰折れを防止し、歪曲しにくくなり、摩擦負荷が減じてエアフィルタの手前が腰折れしにくいので、エアフィルタをスムーズに挿入取り付けでき、操作性がよくなる。【選択図】図２
2006118734.tif 000002
【特許請求の範囲】
【請求項１】
塵芥の侵入を防止し枠および桟で補強されたエアフィルタと、前記エアフィルタを挿入し保持するエアフィルタガイド溝が設けられた前面枠を有し、前記エアフィルタガイド溝で保持されない前記エアフィルタの枠或いは桟を、前記エアフィルタガイド溝で保持される部分よりも曲げ弾性が高くなるよう構成した空気調和機。
【請求項２】
塵芥の侵入を防止し枠および桟で補強されたエアフィルタと、前記エアフィルタを挿入し保持するエアフィルタガイド溝が設けられた前面枠を有し、前記エアフィルタの挿入方向と平行方向に設けられた前記エアフィルタ中央部の桟を他の桟および枠よりも曲げ弾性が高くなるよう構成した空気調和機。
【請求項３】
曲げ弾性が高くなるよう構成された前記桟の、エアフィルタのガイド溝との係合部分の隙間寸法を他の桟と前記ガイド溝部分との係合部分の隙間寸法より狭く構成した請求項２に記載の空気調和機。
【発明の詳細な説明】
【技術分野】
【０００１】
本発明は、内部にエアフィルタを有する空気調和機に関するものである。
【背景技術】
【０００２】
空気調和機は、空気取り入れ口から取り入れた空気を、熱交換器で熱交換し、その空気を空気吹出し口から吹出す構成となっているが、その際、取り入れた空気に含まれる埃等の塵芥がそのまま入って熱交換器に付着すると熱交換率低下や、通風妨害の原因となるなど空気調和機の性能低下につながる問題となる。また、特に室内機の場合、塵芥が含まれた空気が吹出すと、室内にいるユーザーに不快感を生じさせる。
【０００３】
そこで、一般的に空気調和機の室内機の空気取り入れ口と熱交換器の間に、埃等塵芥の侵入を防止するためにエアフィルタを設けている。ここで従来の空気調和機のエアフィルタ取り付け部の構成は次のようなものであった（例えば、特許文献１、２参照）。
【０００４】
図７は特許文献１に記載された従来の空気調和機の構成を示すものである。図７において、１０１は前面グリルであり、１０２がエアフィルタ、１０３が吸入パネルでここが空気取り入れ口となっている。吸入パネル１０３は開閉できるようになっており、実線で示す状態が開けた状態、２点鎖線で示す状態が閉めた状態である。
【０００５】
図８は、特許文献２に記載された従来のエアフィルタの形状を示した斜視図である。図８において、エアフィルタ１０２は細い繊維の網で出来ているため、周囲を枠１０２ｃにて補強されており、また内部も横方向および縦方向に走る桟１０２ｄで補強されている。枠１０２ｃにはエアフィルタ１０２を持つためのツマミ１０２ａが設けられている。
【０００６】
次に操作について、再び図７を用いて説明する。エアフィルタ１０２の装着を行うときには、吸入パネル１０３を開けた状態で、エアフィルタ１０２のツマミ１０２ａを持って、上端を前面グリルのガイド部（図示はされていない）に挿入し、前面グリル１０１に取り付ける。そののち、吸入パネル１０３を閉じれば装着が完了する。
【特許文献１】特開平６−１３７５８７号公報
【特許文献２】特許第３１７５５０１号公報
【発明の開示】
【発明が解決しようとする課題】
【０００７】
近年の省エネ化推進や被空調空間の清浄性向上等の観点から、空気調和機の性能低下や吹出し空気の汚染化等につながる埃等の塵芥の空気調和気内部への侵入をできるだけ排除することが望まれる。そこで、エアフィルタは広範囲の熱交換器を覆うために大型化し、また、空気調和気前面の吸入パネルだけでなく、天面からの塵芥の侵入を防止するために図７、図８に示すように湾曲した形状となることもある。
【０００８】
一方、エアフィルタの装着場所は、室内機の場合、高い場所に位置しており、図８のエアフィルタのツマミ部分近辺（ツマミが設けられていない場合でもこの近辺）を保持しながら、前面枠のエアフィルタガイド溝に挿入することになる。
【０００９】
しかしながら、上記従来の構成では、エアフィルタは補強している枠や桟の部分もポリプロピレン樹脂等の柔らかい材料で出来ていることが多く、エアフィルタを前面グリルのガイド部（図示はされていない）に挿入していって上方がガイドに沿って湾曲して挿入されていく際に、歪曲することによる摩擦負荷によってエアフィルタの手前が腰折れしてし
まうので、手で矯正しながらエアフィルタを挿入していってやらねばならないという問題を有していた。
【００１０】
本発明は、前記課題を解決するもので、エアフィルタを挿入していく際のエアフィルタの腰折れを防止し、エアフィルタ挿入の操作性の良い空気調和機を提供するものである。
【課題を解決するための手段】
【００１１】
前記従来の課題を解決するために、本発明の空気調和機はエアフィルタの枠あるいは桟の種々の特定部分の曲げ弾性を高く構成するとともに、エアフィルタガイド溝とエアフィルタの枠あるいは桟との隙間寸法を特定部分と他の部分とを違えたことを特徴としたものである。
【００１２】
これによって、エアフィルタをガイド部に沿って湾曲して挿入する際に、歪曲しにくくなり、摩擦負荷が減じてエアフィルタの手前が腰折れしにくいので、エアフィルタをスムーズに挿入取り付けでき、操作性がよくなる。
【発明の効果】
【００１３】
本発明の空気調和機はエアフィルタ挿入時の摩擦負荷を受ける枠あるいは桟の部分の曲げ弾性を高く構成してあることにより、エアフィルタを挿入していく際の腰折れを防止することが可能となり、操作性が良くなり、またエアフィルタ取り付け失敗による誤動作や空気調和機が動かないといったトラブルの発生を抑えることができる。
【発明を実施するための最良の形態】
【００１４】
第１の発明は、塵芥の侵入を防止し枠および桟で補強されたエアフィルタと、エアフィルタを挿入し保持するエアフィルタガイド溝が設けられた前面枠を有し、エアフィルタガイド溝で保持されないエアフィルタの枠或いは桟を、エアフィルタガイド溝で保持される部分よりも曲げ弾性が高くなるよう構成したことにより、エアフィルタを挿入していく際の腰折れを防止することが可能になるものである。
【００１５】
第２の発明は、エアフィルタの挿入方向と平行方向に設けられた、エアフィルタ中央部の桟を他の桟および枠よりも曲げ弾性が高くなるようエアフィルタを構成したことにより、ユーザーがフィルター中央部を持って挿入していく際にこの保持部から挿入される側の桟の曲げ弾性が高いため、エアフィルタの腰折れを防止することが可能になるものである。
【００１６】
第３の発明は、第２の発明に加え、曲げ弾性が高くなるよう構成された桟の、エアフィルタのガイド溝との係合部分の隙間寸法を、他の桟とガイド溝部分との係合部分の隙間寸法より狭く構成してあるので、挿入していく際の負荷の大半はこの桟の部分となり、他の桟や枠部の負荷は少なくなって挿入時のこじれがなくなり、挿入作業がスムーズとなりより操作性を良くすることが可能となるものである。
【００１７】
以下、本発明の実施の形態について、図面を参照しながら説明する。尚、この実施の形態によって本発明が限定されるものではない。
【００１８】
（実施の形態１）
図１は、本発明の第1の実施の形態における空気調和機の構成図、図２はその中に組み込まれているエアフィルタの斜視図を示すものである。
【００１９】
図１において、前面グリル１に設けられたエアフィルタガイド溝１ａの中にエアフィルタ２が差し込まれて取り付けられており、エアフィルタ２の前面には吸入パネル３が開閉
可能に保持されている。実線が開けた状態を示しており、２点鎖線は閉じた状態を示している。前面グリル１に設けられるエアフィルタガイド溝１ａはエアフィルタ２の後述する枠２ｂの左右の縦方向部分および縦方向の桟２ｄに相対する位置に配されている。
【００２０】
エアフィルタ２の取り付けは、吸入パネル３を開けた状態で、エアフィルタ２のツマミ２ａを持って上端を前面グリル１のエアフィルタガイド溝１ａに挿入していくことで行う。
【００２１】
図２において、細い繊維でできたエアフィルタ２の周囲を枠２ｂで補強され、内部も横方向に走る桟２ｃおよび縦方向に走る桟２ｄで補強されており、枠２ｂにはエアフィルタ２を持つためのツマミ２ａが設けられていると共に、位置決め用フランジ２ｅが下端に２箇所設けられている。ここまでは従来のエアフィルタと同じである。
【００２２】
従来と異なるのは、枠２ｂの前方、即ちエアフィルタガイド溝で保持されない部分にはリブ２ｆが設けられており、またエアフィルタの挿入方向と平行方向に設けられた桟２ｄの前方、即ちエアフィルタガイド溝で保持されない部分にはリブ２ｇが設けられており、このリブ２ｆおよびリブ２ｇによって曲げ弾性が高くなって腰折れしにくくなっている点である。
【００２３】
すなわち、エアフィルタ２の上端をエアフィルタガイド溝１ａに挿入していって、エアフィルタ２の上方つまりエアフィルタガイド溝１ａで保持される部分が、エアフィルタガイド溝１ａに沿って湾曲して挿入されていく際に、歪曲することによる摩擦負荷によってエアフィルタ２の手前が腰折れしようとしても、エアフィルタ２の手前部分すなわち手で保持している部分近傍の曲げ弾性が高くできているので腰折れしないので、従来のように手で矯正しながら挿入していく必要はなく操作性が良くなる。最後まで挿入が完了するとエアフィルタ２の下端に設けられた位置決め用フランジ２ａを前面グリル１に設けられた位置決め用穴に差し込むことでエアフィルタ２の取り付けは完了する。
【００２４】
以上のように、本実施の形態においては、前面枠の前方、即ちエアフィルタガイド溝で保持されない部分のエアフィルタの枠或いは桟を、前面枠の上方に位置する部分、即ちエアフィルタガイド溝で保持される部分よりも曲げ弾性が高くなるよう構成したことにより、エアフィルタを手で保持する部分の曲げ弾性が高いためエアフィルタを挿入していく際の腰折れを防止することが可能になるものである。
【００２５】
なお、本実施の形態において曲げ弾性を高くする構成として、リブ２ｆ、２ｇを設ける構成としたが、リブではなくその部分の肉厚を厚くしたり、あるいは幅を広くする構成として良いことは言うまでもない。
【００２６】
（実施の形態２）
図３は本発明の第２の実施の形態のエアフィルタの斜視図である。
【００２７】
図３において、細い繊維でできたエアフィルタ２の周囲を枠２ｂで補強され、内部も横方向に走る桟２ｃおよび縦方向に走る桟２ｄで補強されており、枠２ｂにはエアフィルタ２を持つためのツマミ２ａが設けられていると共に、位置決め用フランジ２ｅが下端に２箇所設けられている。そして、この縦方向に走る桟２ｄにはリブ２ｇが設けられている。
【００２８】
図４にエアフィルタ２のＡ−Ａ断面図を示しているが、エアフィルタ２の縦方向、即ちエアフィルタの挿入方向と平行方向に走る桟２ｄに設けられたリブ２ｇは、エアフィルタ２が装着されたときに前方に位置する部分、即ちエアフィルタガイド溝で保持されない部分を高く、上方に位置する部分、即ちエアフィルタガイド溝で保持される部分を低くして
いる。
【００２９】
すなわち、エアフィルタの挿入方向と平行方向に走る桟２ｄの装着時に、前方のエアフィルタガイド溝で保持されない部分の曲げ弾性が高く、かつ上方のエアフィルタガイド溝で保持される部分についても、枠２ｂの同じ上方に位置する、エアフィルタガイド溝で保持される部分に比べれば、曲げ弾性が大きくなっているもののその程度は少なく構成されている。
【００３０】
他の部分は実施の形態１と同じであり、エアフィルタ２の取り付けは、吸入パネル３を開けた状態で、エアフィルタ２のツマミ２ａを持って上端を前面グリル１のエアフィルタガイド溝１ａに挿入していくことで行う。エアフィルタ２の上端をエアフィルタガイド溝１ａに挿入していって、エアフィルタ２の上方つまりエアフィルタガイド溝１ａで保持される部分が、エアフィルタガイド溝１ａに沿って湾曲して挿入されていく際に歪曲することによる摩擦負荷を受け、これによって、エアフィルタ２の挿入方向と平行方向に走る桟２ｄの前方に位置する部分、即ちエアフィルタガイド溝１ａで保持されない部分が腰折れしようとしても、この部分は曲げ弾性が高くできているので腰折れしない。
【００３１】
曲げ弾性を大きくしていない枠２ｂの部分が腰折れする事が考えられるが、手で掴んでいるツマミ２ａに縦方向に走る桟２ｄが近いためツマミ２ａを押して挿入していこうすることによる力は桟２ｄでしっかりとうけられることになるため、腰折れせずに挿入していくことが可能となる。また、桟２ｄの上方に位置する部分、即ちエアフィルタガイド溝１ａで保持される部分を枠２ｂよりも少し曲げ弾性を大きくなるように構成しているので、エアフィルタガイド溝１ａに沿って湾曲して挿入されていく際の摩擦負荷も桟２ｄ部のほうが枠２ｂ部よりも大きく枠２ｂ部での摩擦負荷は小さくなり、ツマミ２ａに近い桟２ｄに摩擦負過の大半がかかることとなり、ツマミ２ａから遠い部分での負荷によるこじりがなく、操作性がさらに良くなる。
【００３２】
（実施の形態３）
図５は本発明の第３の実施の形態の要部説明図であり、エアフィルタ２とエアフィルタガイド溝１ａとの隙間関係を示すものである。エアフィルタガイド溝１ａの溝幅Ｂとエアフィルタ2の枠２ｂの幅Ｃｗとの差である隙間を、縦方向の桟２ｄの幅Ｃｓとの差である隙間よりも大きくしている。他の構成は第２の実施の形態と同じである。
【００３３】
これにより、エアフィルタ２の上端をエアフィルタガイド溝１ａに挿入していって上方つまりエアフィルタガイド溝１ａで保持される部分がエアフィルタガイド溝１ａに沿って湾曲して挿入されていく際の摩擦負荷は、桟２ｄ部のほうが枠２ｂ部よりもより大きく、枠２ｂ部での摩擦負荷はさらに小さくなり、ツマミ２ａに近い桟２ｄに摩擦負過のより大半がかかることとなり、ツマミ２ａから遠い部分での負荷によるこじりがなく、操作性がさらに良くなる。
【産業上の利用可能性】
【００３４】
以上のように、本発明にかかる空気調和機は、エアフィルタを挿入していく際の腰折れを防止することが可能となり操作性が良くなるため、室内に設置され内部にエアフィルタを有する空気調和機のみならず、エアフィルタを有する空気清浄機やファンヒータなどの暖房機器等の用途にも適用できる。
【図面の簡単な説明】
【００３５】
【図１】本発明の実施の形態１における空気調和機の断面図
【図２】本発明の実施の形態１におけるエアフィルタの斜視図
【図３】本発明の実施の形態２におけるエアフィルタの斜視図
【図４】本発明の実施の形態２におけるエアフィルタの断面図
【図５】本発明の実施の形態３におけるエアフィルタの桟とエアフィルタガイド溝の関係を示す断面図
【図６】本発明の実施の形態３におけるエアフィルタの枠とエアフィルタガイド溝の関係を示す断面図
【図７】従来の空気調和機の断面図
【図８】従来の空気調和機に使用されるエアフィルタの斜視図
【符号の説明】
【００３６】
１  前面グリル
２  エアフィルタ
２ａ  ツマミ
２ｂ  枠
２ｃ  横桟
２ｄ  縦桟
２ｅ  位置決め用フランジ
２ｆ  リブ
２ｇ  リブ
３  吸入パネル
【図１】
2006118734.tif 000003
【図２】
2006118734.tif 000004
【図３】
2006118734.tif 000005
【図４】
2006118734.tif 000006
【図５】
2006118734.tif 000007
【図６】
2006118734.tif 000008
【図７】
2006118734.tif 000009
【図８】
2006118734.tif 000010